(57)【要約】【課題】  遮視性及び遮熱性を向上することができる、つる植物の登攀ガイド装置を提供する。【解決手段】  遮熱性を帯びた糸状物又は長尺のフィルム１２からなる細長い遮熱体を、隙間１３を空けて一方向に並ぶように多数配置した遮熱通気部１１と、遮熱体の長手方向と交差する方向に延びる複数の支持部１４とを備え、支持部１４に遮熱通気部１１が固定されている。【選択図】  図２
2015073519.tif 000002
【特許請求の範囲】
【請求項１】
遮熱性を帯びた糸状物又は長尺のフィルムからなる細長い遮熱体を、隙間を空けて一方向に並ぶように多数配置した遮熱通気部と、
前記遮熱体の長手方向と交差する方向に延びる複数の支持部とを備え、
前記支持部に前記遮熱通気部が固定されている、
つる植物の登攀ガイド装置。
【請求項２】
前記支持部の材料が、天然素材または合成繊維で形成された糸からなり、前記糸によって各々の前記遮熱体を前記隙間を空けて連結することにより、前記支持部に前記遮熱通気部が固定されている、
請求項１に記載のつる植物の登攀ガイド装置。
【請求項３】
前記遮熱体は、遮熱顔料を含有した樹脂製あるいは天然素材製の前記長尺のフィルム、または表面に遮熱顔料が塗布された樹脂製あるいは天然素材製の前記長尺のフィルムからなる、
請求項１または２に記載のつる植物の登攀ガイド装置。
【請求項４】
前記遮熱体は、幅が１．０ｍｍ以上、５．０ｍｍ以下である前記長尺のフィルムからなり、
前記隙間が、０．１ｍｍ以上であり、前記長尺のフィルムの幅以下である、
請求項１〜３のいずれかに記載のつる植物の登攀ガイド装置。
【発明の詳細な説明】
【技術分野】
【０００１】
本発明は、緑のカーテンに使用できる、つる植物の登攀ガイド装置に関する。
【背景技術】
【０００２】
夏の節電対策として、つる植物の葉で窓を覆う緑のカーテンが知られている。つる植物の葉で窓を覆うと、葉によって窓から入る直射日光を遮ることができるだけでなく、葉によって部屋の内部を見え難くすることができ、さらに、葉の間を通る風を窓から部屋内に取り込むことができる。その結果、冷房機器の稼動時間を短くして電力消費量を低減（節電）することができる。
【０００３】
従来、緑のカーテンを作る際には、窓を外側から覆うようにネットを設置し、つる植物を植え付けたプランタをネットの下部に近接して設置し、つる植物をネットに沿わせて面状に成長させるようにしていた。しかし、この方法では、ネットを構成する線状の部材に沿ってつる植物を登攀させる必要があるため、登攀可能なつる植物の種類が著しく制限されていた。
【０００４】
そこで、特許文献１では、より多くの種類のつる植物が登攀可能な植栽装置が提案されている。この植栽装置は、つる植物の上方向への生育を幇助する植物伸長路と、つる植物の展張繁茂を可能とする植物支持壁とを備えている。植物伸長路は、つる植物を囲繞してその進行方向を上方に向ける誘導壁を有しており、植物支持壁は、格子状またはメッシュ状等の多孔体で構成されている。
【先行技術文献】
【特許文献】
【０００５】
【特許文献１】特開２０１０−３５５１２号公報
【発明の概要】
【発明が解決しようとする課題】
【０００６】
特許文献１の植栽装置では、植物支持壁の部分が、格子状またはメッシュ状等の多孔体で構成されていることから、植栽装置自体の遮視性は低いものである。そのため、窓の外側に植栽装置を設置した場合、つる植物の生育初期段階においては、部屋の外部から部屋の内部が見えるおそれがある。また、日光が部屋内へ差し込んで、部屋内部の温度が上昇して、節電対策の妨げになることもある。
【０００７】
本発明は、上記課題を解決するためになされたものであり、遮視性及び遮熱性を向上することができる、つる植物の登攀ガイド装置を提供することを目的とする。
【課題を解決するための手段】
【０００８】
上記目的を達成するために、本発明のある形態に係るつる植物の登攀ガイド装置は、遮熱性を帯びた糸状物又は長尺のフィルムからなる細長い遮熱体を、隙間を空けて一方向に並ぶように多数配置した遮熱通気部と、前記遮熱体の長手方向と交差する方向に延びる複数の支持部とを備え、前記支持部に前記遮熱通気部が固定されている。
【０００９】
この構成によれば、細長い遮熱体を、隙間を空けて一方向に並ぶように多数配置した遮熱通気部を備えているので、遮視性及び遮熱性を向上することができ、つる植物の生育初期段階において、部屋の外部から部屋の内部を見えにくくし、日光の部屋内への差し込み等による部屋内部の温度上昇を抑制することができる。また、各遮熱体間に、隙間が設けられているので、部屋内部が暗くなりすぎず、風通しもよく、良好な室内環境を実現できる。また、遮熱通気部を、遮熱体の長手方向と交差する方向に延びる複数の支持部によって固定しているので、種々の種類のつる植物を登攀させることが可能である。
【００１０】
前記支持部の材料が、天然素材または合成繊維で形成された糸からなり、前記糸によって各々の前記遮熱体を前記隙間を空けて連結することにより、前記支持部に前記遮熱通気部が固定されていてもよい。
【００１１】
前記遮熱体は、遮熱顔料を含有した樹脂製あるいは天然素材製の前記長尺のフィルム、または表面に遮熱顔料が塗布された樹脂製あるいは天然素材製の前記長尺のフィルムからなるものでもよい。
【００１２】
前記遮熱体は、幅が１．０ｍｍ以上、５．０ｍｍ以下である前記長尺のフィルムからなり、前記隙間が、０．１ｍｍ以上であり、前記長尺のフィルムの幅以下であることが好ましい。
【発明の効果】
【００１３】
本発明は、以上に説明した構成を有し、つる植物の登攀ガイド装置において、遮視性及び遮熱性を向上することができるという効果を奏する。
【図面の簡単な説明】
【００１４】
【図１】本発明の実施形態に係るつる植物の登攀ガイド装置の使用状態の一例を示す側面図である。
【図２】本発明の実施形態に係るつる植物の登攀ガイド装置および枠体の構成の一例を示す正面図である。
【発明を実施するための形態】
【００１５】
以下、本発明の好ましい実施の形態を、図面を参照しながら説明する。なお、本発明は、以下の実施形態に限定されない。
【００１６】
（実施形態）
図１は、本発明の実施形態に係るつる植物の登攀ガイド装置（以下、単に「登攀ガイド装置」という。）の使用状態の一例を示す側面図である。図２は、登攀ガイド装置および枠体の構成の一例を示す正面図である。なお、図２では、枠体２１を仮想線（二点鎖線）で示している。
【００１７】
図１に示すように、登攀ガイド装置１０と、登攀ガイド装置１０を固定する枠体２１とによって登攀ガイド構造２０が構成されている。
【００１８】
登攀ガイド構造２０は、建物３１の窓３２（すなわち居住空間の開口部）を外側から覆うように設けられ、つる植物４０を登攀させるものである。この登攀ガイド構造２０は、バルコニー３３に設置された枠体２１と、窓３２を覆うようにして枠体２１に取り付けられた登攀ガイド装置１０とを備えている。そして、登攀ガイド構造２０の下部近傍には、プランタ３４が配置されており、プランタ３４には、つる植物４０が植え付けられている。
【００１９】
図２に示すように、枠体２１は、登攀ガイド装置１０を支持するものであり、棒状の左右の側辺部２１ａ，２１ｂと、側辺部２１ａ，２１ｂの上端部どうしを連結する棒状の上辺部２１ｃと、側辺部２１ａ，２１ｂの下端部どうしを連結する棒状の下辺部２１ｄとによって略四角形に形成されている。枠体２１の大きさは、枠体２１で支持された登攀ガイド装置１０で窓３２（図１）を覆うことができるように、窓３２（図１）の大きさよりもやや大きめにされている。本実施形態では、登攀ガイド装置１０の上下方向長さが約２０００ｍｍ、水平方向長さが約１０００ｍｍに設計されており、枠体２１の上下方向長さおよび水平方向長さは、これらとほぼ同じ長さに設計されている。
【００２０】
登攀ガイド装置１０は、長尺のフィルム（遮熱体）１２を隙間１３を空けて一方向（上下方向）に並ぶように多数配置した遮熱通気部１１と、遮熱通気部１１を固定する複数の支持部１４と、周囲に設けられた四角形の外枠部１７とを備えている。
【００２１】
フィルム１２は、遮光性及び遮熱性を有するものであり、例えば、合成樹脂に遮熱顔料（遮熱効果を有する顔料）を練り合わせて形成されており、半透明または不透明なフィルムである。遮熱顔料としては、例えば、二酸化チタン、酸化亜鉛、アルミニウム、マグネシウム等を含むものを用いることができる。
【００２２】
複数の支持部１４は、複数の第１支持部１５及び複数の第２支持部１６によって構成され、これらはフィルム１２の長手方向と交差する方向（本例では、フィルム１２の長手方向と直交あるいは略直交する方向）に延びている。第１支持部１５及び第２支持部１６には、例えば、合成繊維あるいは天然繊維を含む糸が用いられ、この糸を絡み織などの手法を用いて、各フィルム１２を固定するようにしている。ここでは、第２支持部１６に、第１支持部１５よりも太い糸を用いるようにしている。
【００２３】
また、外枠部１７は、周囲に設けられ、複数のフィルム１２及び複数の支持部１４（１５，１６）の端部を固定している。この外枠部１７は、柔軟性（可撓性）のあるものでもよいし、柔軟性のない硬質なものでもよい。この外枠部１７が、例えば紐、針金などの適宜の固定手段によって枠体２１に固定される。なお、外枠部１７は必ずしも必要ではない。
【００２４】
本実施形態の登攀ガイド装置１０の具体例では、フィルム１２が、ＰＰ（ポリプロピレン）に遮熱顔料を含有させた可撓性を有するフィルムで形成されている。ここでの遮熱顔料には、ステアリン酸マグネシウム及びステアリン酸亜鉛を含む遮熱顔料を用いている。また、第１支持部１５が、ＰＥ（ポリエチレン）モノフィラメントの糸を用いて形成され、可撓性を有している。また、第２支持部１６が、ＰＰ捲縮糸を用いて形成され、可撓性を有している。また、外枠部１７は、織布または不織布を用いて形成され、可撓性を有している。この場合、登攀ガイド装置１０は、略平面状に構成されている。そして、登攀ガイド装置１０全体として可撓性を有しているので、巻き取ること及び折り畳むことができ、収納及び運搬が容易である。
【００２５】
この具体例の登攀ガイド装置１０の試験サンプルを作成し、その試験サンプルの外枠部１７を除く部分について、遮光性試験及び遮熱性試験を行った。この試験サンプルの各フィルム１２の幅は約２．０ｍｍ、隣り合うフィルム１２間の隙間１３は約１．０〜２．０ｍｍである。また、隣り合う第２支持部１６間の間隔（ピッチ）は５０〜３００ｍｍ程度であり、その間に設けられた隣り合う支持部１４（１５，１６）間の間隔（ピッチ）は１０〜９０ｍｍ程度である。
【００２６】
ＪＩＳ規格に基づく遮光性試験の結果、遮光率は４６．５％であった。
【００２７】
また、遮熱性試験では、光源（ランプ）の下方に試験サンプルを水平に置き、その試験サンプルの上下に２〜３ｃｍ間隔をあけて温度測定センサーを設置して、ランプの照射時間が５分、１０分、１５分、２０分経過したときの、試験サンプルの上方及び下方の温度を測定し、その経時変化を調べた。その結果、次のようになった。
【００２８】
５分後の試験サンプルの上方温度が４７．３℃、下方温度が３９．０℃であった。
１０分後の試験サンプルの上方温度が４７．４℃、下方温度が３８．８℃であった。
１５分後の試験サンプルの上方温度が４８．２℃、下方温度が３９．１℃であった。
２０分後の試験サンプルの上方温度が４８．８℃、下方温度が３９．３℃であった。
すなわち、試験サンプルの下方温度は上方温度よりも低く、また上昇度合いも小さいことから、試験サンプルは、優れた遮熱効果を有していることがわかる。
【００２９】
この登攀ガイド装置１０は、遮熱体である長尺のフィルム１２を、隙間１３を空けて一方向（フィルム１２の長手方向と直交する方向であり、使用時の上下方向）に並べることにより多数配置した遮熱通気部１１を備えているので、遮視性及び遮熱性を向上することができ、つる植物４０の生育初期段階において、部屋の外部から部屋の内部を見えにくくし、日光の部屋内への差し込み等による部屋内部の温度上昇を抑制することができる。また、各フィルム１２間に、隙間１３が設けられているので、部屋内部が暗くなりすぎず、風通しもよく、良好な室内環境を実現できる。
【００３０】
このように、つる植物４０の生育初期段階において、部屋の外部から部屋の内部を見えにくくし、日光の部屋内への差し込み等による部屋内部の温度上昇を抑制するという、遮視性及び遮熱性等の観点と、部屋内部に適度な採光と良好な風通しを得るという観点とから、フィルム１２の幅が、１．０ｍｍ以上、５．０ｍｍ以下の所定幅であり、隣り合うフィルム１２間の隙間１３が、０．１ｍｍ以上で、フィルム１２の幅以下であることが好ましい。
【００３１】
また、つる植物４０には、様々な種類のものがあり、登攀の仕方に着目すると、巻付け型と付着型とに大別することができる。巻付け型には、つるの節から出る巻ひげを登攀ガイド装置１０に巻き付けながら登攀する巻ひげ型（ブドウ、カラスウリ、ヘチマ等）や、つるを登攀ガイド装置１０に巻き付けながら登攀する巻つる型（フジ、アケビ、クズ等）がある。一方、付着型には、ひげ先端の付着盤を登攀ガイド装置１０に付着させながら登攀する付着盤型（ナツヅタ、ヘンリーヅタ等）や、茎から出る付着根を登攀ガイド装置１０に付着させながら登攀する付着根型（オオイタビ、キヅタ、テイカカズラ等）がある。
【００３２】
ここで、登攀ガイド装置１０は、上述のように隙間１３を空けて長尺のフィルム１２が多数配置された遮熱通気部１１を、フィルム１２の長手方向と交差する方向に延びる複数の支持部１４によって固定しているので、つる植物のつるや巻ひげが支持部１４及びフィルム１２に巻き付いたり、つる植物の付着盤や付着根がフィルム１２に付着することができ、前述のような様々な種類のつる植物を登攀させることが可能である。
【００３３】
なお、遮熱体であるフィルム１２は、遮熱顔料を含有または表面に塗布した樹脂製フィルムでもよいし、遮熱顔料を含有または表面に塗布した天然素材製のフィルムでもよい。また、フィルムの表面に塗布する場合には遮熱顔料の代わりに遮熱塗料を用いてもよい。
【００３４】
また、遮熱体として、フィルム１２に代えて、例えば麻糸や、ガラス繊維の糸などの糸状物に、遮熱顔料を練り込んだもの、あるいは表面に塗布したものでもよい。また、糸状物の表面に塗布する場合には遮熱顔料の代わりに遮熱塗料を用いてもよい。
【００３５】
また、支持部１４（１５，１６）は、糸状でも棒状でもよく、また、柔軟性（可撓性）のあるものでもよいし、柔軟性のない硬質なものでもよい。例えば、合成繊維、天然繊維またはガラス繊維の糸を用いて形成されていてもよいし、樹脂製または鋼製の棒状物でもよい。
【００３６】
また、上述の実施形態では、登攀ガイド装置１０の大きさが予め決められているが、長尺の登攀ガイド装置１０をロール状に巻いておき、必要長さだけを適宜切断して使用するようにしてもよい。この場合、支持部１４（１５，１６）は、可撓性を有する材料で形成される。
【産業上の利用可能性】
【００３７】
本発明は、遮視性及び遮熱性を向上することができる、つる植物の登攀ガイド装置等として有用である。
【符号の説明】
【００３８】
１０  登攀ガイド装置
１１  遮熱通気部
１２  フィルム
１３  隙間
１４  支持部
【図１】
2015073519.tif 000003
【図２】
2015073519.tif 000004